(57)【要約】【課題】  遊技機に設けられる遊技機用表示ユニットにおいて、内部ユニットの組み込み工程を簡略化すると共に、内部ユニットとケース体との間のガタを防止する。【解決手段】  前後一組のケース部材８、９からなるケース体６に、液晶ユニット２と、その制御基板３を組み込んで構成される遊技機用表示ユニット１であって、液晶ユニット２及び制御基板３を、あらかじめ支持プレート５に固定して内部ユニット４を構成し、この内部ユニット４をケース体６に組み込んで固定するにあたり、支持プレート５の端部を、一組のケース部材８、９間で挟持状に固定する。【選択図】        図２
2005237769.tif 000002
【特許請求の範囲】
【請求項１】
前後一組のケース部材からなるケース体に、液晶ユニットと、その制御基板を組み込んで構成される遊技機用表示ユニットであって、
前記液晶ユニット及び前記制御基板を、あらかじめ支持プレートに固定して内部ユニットを構成し、該内部ユニットを前記ケース体に組み込んで固定するにあたり、前記支持プレートの端部を、一組の前記ケース部材間で挟持状に固定したことを特徴とする遊技機用表示ユニット。
【請求項２】
一方の前記ケース部材には、前記支持プレートの端部を位置決めする位置決め部が形成され、他方の前記ケース部材には、前記支持プレートの端部を押える押え部が形成されることを特徴とする請求項１記載の遊技機用表示ユニット。
【請求項３】
一組の前記ケース部材は、係合爪の係合により相互に固定されることを特徴とする請求項１又は２記載の遊技機用表示ユニット。
【請求項４】
前記押え部は、前記係合爪の近傍で前記支持プレートの端部を押えることを特徴とする請求項２又は３記載の遊技機用表示ユニット。
【発明の詳細な説明】
【技術分野】
【０００１】
本発明は、パチンコ遊技機、スロットマシンなどの遊技機に設けられる遊技機用表示ユニットに関する。
【背景技術】
【０００２】
近年、多くの遊技機には、図柄表示や演出表示を行う液晶ユニットが設けられている。通常、この種の液晶ユニットは、あらかじめ制御基板と一緒にケース体に組み込まれ、表示ユニットとして遊技機に取り付けられている。例えば、パチンコ遊技機では、遊技盤の裏側に表示ユニットを取り付け、遊技盤の表示窓を介して表示画面が目視されるようにしてある。
【０００３】
しかしながら、表示ユニットに使用される従来のケース体は、液晶ユニットをネジや係合爪で直接固定するように構成されているため、外形寸法やネジ孔位置が相違する液晶ユニットに共用できないという問題がある。例えば、現状の液晶ユニットは、同じ画面サイズのものであっても、外形寸法や固定用ネジ孔位置がメーカによって相違しているため、複数メーカの液晶ユニットを併用するには、各メーカの液晶ユニット毎に専用のケース体を用意する必要があった。
【０００４】
そこで、寸法の変更が容易な金属製の支持プレートを介して、液晶ユニットをケース体に固定することが提案されている（例えば、特許文献１参照。）。このような構成によれば、支持プレートの変更により、液晶ユニットの外形寸法やネジ孔位置の違いを吸収できるため、一種類のケース体を多種の液晶ユニットに対応させ、ケース体の共用化を図ることが可能になる。
【０００５】
また、特許文献１に示される表示ユニットは、液晶ユニット及び制御基板を、あらかじめ支持プレートに固定して内部ユニットを構成し、この内部ユニットをケース体に組み込んで構成されるため、組み立て効率が良いだけでなく、ケース体に組み込む前の内部ユニット状態で動作テストなどを行うことが可能である。
【特許文献１】特開２０００−２７１２９１号公報
【発明の開示】
【発明が解決しようとする課題】
【０００６】
しかしながら、特許文献１に示される表示ユニットでは、ケース体に組み込んだ内部ユニットを、ケース体の背面部にネジ止めしているため、内部ユニットの組み込み工程が煩雑になるだけでなく、ネジの緩みによって内部ユニットとケース体との間にガタが生じる可能性がある。
【課題を解決するための手段】
【０００７】
本発明は、上記の如き実情に鑑みこれらの課題を解決することを目的として創作されたものであって、前後一組のケース部材からなるケース体に、液晶ユニットと、その制御基板を組み込んで構成される遊技機用表示ユニットであって、前記液晶ユニット及び前記制御基板を、あらかじめ支持プレートに固定して内部ユニットを構成し、該内部ユニットを前記ケース体に組み込んで固定するにあたり、前記支持プレートの端部を、一組の前記ケース部材間で挟持状に固定したことを特徴とする。このようにすると、内部ユニットの組み込み工程が簡略化されるだけでなく、内部ユニットとケース体との間のガタを防止できるため、遊技機用表示ユニットの組み立て効率や品質を高めることが可能になる。
また、一方の前記ケース部材には、前記支持プレートの端部を位置決めする位置決め部が形成され、他方の前記ケース部材には、前記支持プレートの端部を押える押え部が形成されることを特徴とする。このようにすると、一方のケース部材に、内部ユニットを位置決めした後、他方のケース部材を、一方のケース部材に固定するだけで、内部ユニットの組み込み工程を完了させることが可能になる。
また、一組の前記ケース部材は、係合爪の係合により相互に固定されることを特徴とする。このようにすると、ケース部材同士の固定作業が簡略化されるため、遊技機用表示ユニットの組み立て効率を更に高めることができる。
また、前記押え部は、前記係合爪の近傍で前記支持プレートの端部を押えることを特徴とする。このようにすると、ケース部材同士のガタが小さい係合爪近傍位置で支持プレートを押えることができるので、内部ユニットのガタを最小限に抑えることが可能になる。
【発明の効果】
【０００８】
以上のように構成された本発明の遊技機用表示ユニットによれば、液晶ユニット及び制御基板を、あらかじめ支持プレートに固定して内部ユニットを構成し、該内部ユニットをケース体に組み込んで固定するものでありながら、支持プレートの端部を、一組のケース部材間で挟持状に固定することにより、内部ユニットの組み込み工程が簡略化されるだけでなく、内部ユニットとケース体との間のガタが防止されるので、遊技機用表示ユニットの組み立て効率や品質を高めることができる。
【発明を実施するための最良の形態】
【０００９】
次に、本発明の実施形態について、図面に基づいて説明する。図１及び図２において、１はパチンコ遊技機に設けられる表示ユニットであって、該表示ユニット１は、図柄表示や演出表示を行う液晶ユニット２と、液晶ユニット２を制御する制御基板３と、液晶ユニット２及び制御基板３を一体的に支持して、内部ユニット４を構成する支持プレート５と、内部ユニット４が組み込まれるケース体６とを備えて構成されている。
【００１０】
液晶ユニット２は、ケース体６に収納可能な薄型の直方体形状であり、前面に表示画面（図示せず）を有している。液晶ユニット２の裏面（少なくとも四隅）には、複数の固定用ネジ孔（図示せず）が形成されており、これらの固定用ネジ孔にねじ込まれるネジ（図示せず）を介して、液晶ユニット２が支持プレート５に固定される。
【００１１】
図３に示すように、制御基板３は、ケース体６に収納可能な長方形であり、その一面にコネクタ７や電子部品（図示せず）が実装されている。制御基板３の四隅には、固定用挿通孔３ａが形成されており、この固定用挿通孔３ａに挿通されるネジ（図示せず）を介して、制御基板３が支持プレート５に固定される。
【００１２】
図４及び図５に示すように、支持プレート５は、プレス加工によって容易に形成可能な金属製板材からなり、その四隅には、液晶ユニット固定部５ａ及び制御基板固定部５ｂが形成され、更に、対向する二辺（例えば長辺）の端部には、それぞれ複数の位置決め孔５ｃが形成されている。
【００１３】
各液晶ユニット固定部５ａは、固定用挿通孔５ｄを有し、前面側に突出するように曲げ形成されている。つまり、液晶ユニット固定部５ａの固定用挿通孔５ｄに背面側から挿通したネジを、液晶ユニット２の固定用ネジ孔にねじ込むことにより、液晶ユニット２が支持プレート５に一体的に固定される。
【００１４】
また、各制御基板固定部５ｂは、固定用ネジ孔５ｅを有し、背面側に突出するように曲げ形成されている。つまり、制御基板３の固定用挿通孔３ａに背面側から挿通したネジを、制御基板固定部５ｂの固定用ネジ孔５ｅにねじ込むことにより、制御基板３が支持プレート５に一体的に固定される。
【００１５】
上記のような支持プレート５によれば、あらかじめ液晶ユニット２及び制御基板３を取り付けることにより、内部ユニット４を構成することができるだけでなく、外形寸法や固定用ネジ孔位置が相違する液晶ユニット２を併用することができる。つまり、外形寸法や固定用ネジ孔位置が相違する液晶ユニット２を採用しても、支持プレート５における液晶ユニット固定部５ａの位置や突出寸法を変更することにより、外形寸法や固定用ネジ孔位置の違いを吸収し、同じケース体６への組み込みが可能になる。
【００１６】
図１及び図２に示すように、ケース体６は、前後一組のケース部材８、９を備えて構成されている。ケース部材８、９は、いずれも透明な樹脂製であり、金型を用いて射出成形される。図６〜図９に示すように、前側ケース部材８は、背面側が開口した箱形状であり、前面に形成される表示窓８ａと、四隅から外側方へ突出する複数の取付部８ｂと、対向する二辺（例えば短辺）から後方へ突出する複数の係合爪８ｃと、対向する二辺（例えば長辺）の内側に形成される段差面８ｄと、該段差面８ｄに形成される複数の位置決め部８ｅとを備えている。
【００１７】
表示窓８ａは、液晶ユニット２の画面サイズに対応して形成されるものであり、透明なカバー１０によって覆蓋されている。取付部８ｂには、固定用挿通孔８ｆが形成されており、この固定用挿通孔８ｆに背面側から挿通される固定ピンを介して、表示ユニット１がパチンコ遊技機の裏面側に取り付けられる。
【００１８】
係合爪８ｃは、全体として左右方向の弾性変形が可能であり、先端部の外面側に爪部８ｇを有している。この爪部８ｇは、ケース体６の組み立てに際して、後側ケース部材９に係合し、ケース部材８、９同士を相互に固定させるが、詳細は後述する。
【００１９】
段差面８ｄは、内部ユニット４を前側ケース部材８に組み込む際、支持プレート５の対向する二辺（例えば長辺）を前面側から接当支持する部分である。この段差面８ｄには、前述した複数の位置決め部８ｅが形成されている。本実施形態の位置決め部８ｅは、突起状のものであり、支持プレート５に形成される位置決め孔５ｃに嵌合することにより、内部ユニット４の位置決めを行う。尚、位置決め部８ｅは、突起に限定されず、支持プレート５の角部を位置決めするもの、支持プレート５の凸部に嵌合する凹状のものなどであってもよい。
【００２０】
図１０〜図１２に示すように、後側ケース部材９は、前面側が開口した箱形状であり、背面には、中継基板取付部９ａ、コネクタ接続孔９ｂ、検査用切除予定部９ｃ、放熱孔９ｄなどが形成されている。また、後側ケース部材９の対向する二辺（例えば短辺）には、前述した係合爪８ｃの位置と対応するように、複数の係合部９ｅが形成されている。本実施形態の係合部９ｅは、前後方向に貫通する穴状であり、ここに前側ケース部材８の係合爪８ｃを差し込むと、係合爪８ｃの爪部８ｇが、係合部９ｅの外壁部９ｆに押されて一旦内側に退避した後、外壁部９ｆの上端に係合して、ケース部材８、９同士が相互に固定される。
【００２１】
各係合部９ｅの近傍には、前側ケース部材８に位置決め状に組み込まれた支持プレート５（内部ユニット４）の端部（例えば短辺）を押える押え部９ｇが形成されている。つまり、前側ケース部材８に内部ユニット４を位置決め状に組み込んだ後、前側ケース部材８に対して後側ケース部材９を係合固定すると、複数の押え部９ｇによって支持プレート５の端部が押えられる。これにより、内部ユニット４をケース体６に組み込んで固定するにあたり、従来のように支持プレート５をケース体６にネジ止めすることなく、支持プレート５を前後のケース部材８、９間で挟持状に固定することが可能になる。しかも、本実施形態の押え部９ｇは、ケース部材８、９同士のガタが小さい係合爪近傍位置で支持プレート５を押えるので、係合爪８ｃと係合部９ｅとの間のガタに起因する内部ユニット４のガタを最小限に抑えることができる。
【００２２】
次に、表示ユニット１の組み立て手順について、図１及び図２を参照して説明する。表示ユニット１を組み立てる場合は、まず、支持プレート５に、液晶ユニット２及び制御基板３をネジ止めし、内部ユニット４を構成する。このとき、液晶ユニット２と制御基板３は、ケーブル（図示せず）を介して電気的に接続されるので、内部ユニット４の状態で動作テストを行うことが可能になる。
【００２３】
次に、内部ユニット４を前側ケース部材８に組み込む。このとき、支持プレート５の二辺を前側ケース部材８の段差面８ｄに接当させると共に、支持プレート５の位置決め孔５ｃを前側ケース部材８の位置決め部８ｅに嵌合させ、内部ユニット４を位置決めする。
【００２４】
次に、前側ケース部材８に後側ケース部材９を重ね合わせ、ケース部材８、９同士を係合爪８ｃと係合部９ｅの係合により固定する。このとき、後側ケース部材９に形成される複数の押え部９ｇが支持プレート５の端部を押えることにより、支持プレート５の端部がケース部材８、９間で挟持され、内部ユニット４がケース体６に固定される。以上で表示ユニット１の組み立てが完了する。
【００２５】
叙述の如く構成された本実施形態の表示ユニット１は、前後一組のケース部材８、９からなるケース体６に、液晶ユニット２と、その制御基板３を組み込んで構成されるものであって、液晶ユニット２及び制御基板３を、あらかじめ支持プレート５に固定して内部ユニット４を構成し、この内部ユニット４をケース体６に組み込んで固定するにあたり、支持プレート５の端部を、一組のケース部材８、９間で挟持状に固定したので、内部ユニット４の組み込み工程が簡略化されるだけでなく、内部ユニット４とケース体６との間のガタを防止でき、その結果、表示ユニット１の組み立て効率や品質を高めることが可能になる。
【００２６】
また、前側ケース部材８には、支持プレート５の端部を位置決めする位置決め部８ｅが形成され、後側ケース部材９には、支持プレート５の端部を押える押え部９ｇが形成されるため、前側ケース部材８に、内部ユニット４を位置決め状にセットした後、後側ケース部材９を、前側ケース部材８に固定するだけで、内部ユニット４の組み込み工程を完了させることができる。
【００２７】
また、一組のケース部材８、９は、係合爪８ｃの係合により相互に固定されるため、ケース部材８、９同士の固定作業を簡略化し、表示ユニット１の組み立て効率を更に高めることができる。
また、押え部９ｇは、ケース部材８、９同士のガタが小さい係合爪８ｃの近傍位置で支持プレート５の端部を押えるように形成されるため、内部ユニット４のガタを最小限に抑えることができる。
【００２８】
尚、本発明は、前記実施形態に限定されないことは勿論であり、例えば、位置決め孔５ｃ、係合爪８ｃ、段差面８ｄ、位置決め部８ｅ、係合部９ｅ及び押え部９ｇは、その位置、個数、寸法などを適宜変更することができる。
【図面の簡単な説明】
【００２９】
【図１】遊技機用表示ユニットの分解側面図である。
【図２】遊技機用表示ユニットの横断面図である。
【図３】制御基板の正面図である。
【図４】支持プレートの正面図である。
【図５】支持プレートの平面図である。
【図６】前側ケース部材の正面図である。
【図７】前側ケース部材の背面図である。
【図８】前側ケース部材のＡ−Ａ断面図である。
【図９】前側ケース部材のＢ−Ｂ断面図である。
【図１０】後側ケース部材の正面図である。
【図１１】後側ケース部材の背面図である。
【図１２】後側ケース部材のＣ−Ｃ断面図である。
【符号の説明】
【００３０】
１    遊技機用表示ユニット
２    液晶ユニット
３    制御基板
４    内部ユニット
５    支持プレート
５ａ  液晶ユニット固定部
５ｂ  制御基板固定部
５ｃ  位置決め孔
６    ケース体
７    コネクタ
８    前側ケース部材
８ｃ  係合爪
８ｄ  段差面
８ｅ  位置決め部
９    後側ケース部材
９ｅ  係合部
９ｇ  押え部
【図１】
2005237769.tif 000003
【図２】
2005237769.tif 000004
【図３】
2005237769.tif 000005
【図４】
2005237769.tif 000006
【図５】
2005237769.tif 000007
【図６】
2005237769.tif 000008
【図７】
2005237769.tif 000009
【図８】
2005237769.tif 000010
【図９】
2005237769.tif 000011
【図１０】
2005237769.tif 000012
【図１１】
2005237769.tif 000013
【図１２】
2005237769.tif 000014